(57)【要約】      （修正有）【課題】薬品へのアクセスおよび投与の際に視認可能な使用指示を提供し、さらに、子供が開封しにくく、これにより、容器内に封入された薬品に子供がアクセスするのを防止する薬品を保存および分配するためのシステムおよび容器を提供する。【解決手段】薬剤容器アセンブリ１０は、複数のコンパートメントを有するブリスター包装を含み、その各々は薬剤を支持する。容器は、パックおよび箱１５０も含む。ブリスター包装のコンパートメントはパックの開口と整合させられ、箱は、複数のコンパートメントの各々が箱の補完的開口と整合させられるように、パックおよびブリスター包装を受容および保存するように構成されている。【選択図】図１
2017094104.tif 000002
【特許請求の範囲】
【請求項１】
複数のコンパートメントを含むブリスター包装であって、複数のコンパートメントの各々は少なくとも１つの薬剤を支持するように構成されている、ブリスター包装と、
パック内の各開口がブリスター包装の複数のコンパートメントのうちの１つに対応する、複数の開口を有する陥凹を含むパックと、
第二壁の反対側の第一壁を含む箱であって、複数の開口が第一壁を通じて延在し、第一壁内の開口の各々は第二壁内の対応する穿孔と整合しておりおよび第一壁内の開口の各々はパックの開口のうち１つおよびブリスター包装の対応するコンパートメントと整合している、箱と、
を備える、小児用安全薬剤容器アセンブリ。
【請求項２】
複数のコンパートメントの各々が、箱の補完的開口から離間している、請求項１に記載の小児用安全薬剤容器。
【請求項３】
箱が、ブリスター包装の複数のコンパートメントの中に保存された薬剤を投与するための一連の指示を含む、請求項１に記載の小児用安全薬剤容器。
【請求項４】
ブリスター包装が、第一領域および第二領域をさらに含み、第一および第二領域の各々は、複数のコンパートメントのうちの少なくとも１つを含む、請求項１に記載の小児用安全薬剤容器。
【請求項５】
箱が、第一および第二領域をさらに含み、第一および第二領域の各々は、複数の開口のうちの少なくとも１つを含む、請求項４に記載の小児用安全薬剤容器。
【請求項６】
ブリスター包装の第一領域は箱の第一領域と整合させられ、ブリスター包装の第二領域は箱の第二領域と整合させられる、請求項５に記載の小児用安全薬剤容器。
【請求項７】
箱の第一領域が、第一領域の複数のコンパートメントのうちの少なくとも１つの中に保存された薬剤を投与するための第一セットの指示を含み、箱の第二領域は、第二領域の複数のコンパートメントのうちの少なくとも１つの中に保存された薬剤を投与するための第二セットの指示を含む、請求項５に記載の小児用安全薬剤容器。
【請求項８】
箱が、耐引裂性フィルムの層を有するボール紙から構築される、請求項１に記載の小児用安全薬剤容器。
【請求項９】
パックが、陥凹を通じて延在する複数の開口をさらに含み、複数の開口の各々は、複数のコンパートメントのうちの１つを補完してこれと整合するように構成されている、請求項１に記載の小児用安全薬剤容器。
【請求項１０】
パックが、ブリスター包装のコンパートメントのうちの１つの高さよりも高い高さを含む、請求項１に記載の小児用安全薬剤容器。
【請求項１１】
パックが、成形された紙パルプおよび竹繊維から構築される、請求項１に記載の小児用安全薬剤容器。
【請求項１２】
複数のコンパートメントの各々の中に保存された薬剤が、ブリスター包装のシールを破裂させることによってアクセス可能である、請求項１に記載の小児用安全薬剤容器。
【請求項１３】
箱が、接着端構造によって組み立ておよび固定される、請求項１に記載の小児用安全薬剤容器。
【請求項１４】
箱が、第一壁と蝶番式に結合された第三壁を含み、第三壁は、箱内の複数の開口へのアクセスを防止するために第一壁を覆う、請求項１に記載の小児用安全薬剤容器。
【請求項１５】
小児用安全薬剤容器を組み立てる方法であって、
陥凹および複数の開口を含むパックに複数のコンパートメントを含むブリスター包装を整合させるステップであって、複数の開口の各々は複数のコンパートメントのうちの１つを補完するように構成されている、ステップと、
ブリスター包装をパックに取り付けるステップと、
ブリスター包装およびパックを箱の中に挿入するステップであって、箱は第二壁の反対側の第一壁を含み、複数の開口は第一壁を通じて延在して第二壁内の複数の穿孔と整合しており、整合した複数の開口および穿孔の各々は複数のコンパートメントのうちの１つを補完する、ステップと、
ブリスター包装およびパックを封入するために箱を閉鎖するステップと、
を備える、方法。
【請求項１６】
ブリスター包装およびパックを箱に挿入するステップが、複数のコンパートメントと第一壁の複数の開口との間の間隙を保持するステップを含む、請求項１５に記載の小児用安全薬剤容器を組み立てる方法。
【請求項１７】
ブリスター包装およびパックを箱の中に固定するステップが、第三壁を第一壁の上に被せて固定するステップを含む、請求項１５に記載の小児用安全薬剤容器を組み立てる方法。
【請求項１８】
複数のコンパートメントの中に保存された薬剤を投与するための一連の指示を箱上に印刷するステップをさらに備える、請求項１５に記載の小児用安全薬剤容器を組み立てる方法。
【請求項１９】
ブリスター包装に第一領域および第二領域を提供するステップであって、第一および第二領域の各々は複数のコンパートメントのうちの少なくとも１つを含む、ステップと、
箱に第一領域および第二領域を提供するステップであって、第一および第二領域の各々は複数の開口のうちの少なくとも１つを含む、ステップと、
ブリスター包装の第一領域を箱の第一領域と整合させるステップと、
ブリスター包装の第二領域をブリスター包装の第二領域と整合させるステップと、
箱の第一領域に、第一領域の複数のコンパートメントのうちの少なくとも１つの中に保存された薬剤を投与するための第一の指示を印刷するステップと、
箱の第二領域に、第二領域の複数のコンパートメントのうちの少なくとも１つの中に保存された薬剤を投与するための第二の指示を印刷するステップと、
をさらに備える、請求項１５に記載の小児用安全薬剤容器を組み立てる方法。
【請求項２０】
小児用安全薬剤容器の中に保存された薬剤をユーザに分配する方法であって、方法は、
箱、パック、およびブリスター包装を含む容器を提供するステップであって、パックは箱に固定されており、ブリスター包装はパックに固定されている、ステップと、
ブリスター包装の複数のコンパートメントのうちの少なくとも１つのコンパートメントに力を加えるステップであって、複数のコンパートメントの各々は箱の第一壁内の複数の開口の補完的なものと整合する、ステップと、
少なくとも１つのコンパートメントの中に収容された薬剤を移動させるために少なくとも１つのコンパートメントのシールを破壊するステップと、
パックの陥凹内の開口を通じて薬剤を放出するステップであって、開口は少なくとも１つのコンパートメントを補完する、ステップと、
箱の第二壁内の穿孔を通じて薬剤を放出するステップであって、穿孔は少なくとも１つのコンパートメントを補完する、ステップと、
を備える、方法。
【発明の詳細な説明】
【技術分野】
【０００１】
本願は、２０１３年７月３日出願の米国特許仮出願第６１／８４２，８４１号、および２０１３年７月３日出願の米国特許仮出願第６１／８４２，９００号の通常出願であり、その恩典を主張する。本願はまた、２０１４年４月１６日出願の米国特許出願第２９／４８８，２０７号の継続出願でもある。各出願の全内容は、参照により本明細書に完全に組み込まれる。
【背景技術】
【０００２】
処方薬は、薬品を処方する権限のある人によって処方された処方箋を必要とする。処方薬は薬剤師によって分配され、処方薬には通常、薬品に関する情報、その副作用、もしあれば薬品の使用指示、ならびにいずれか関連する注意および警告を提供する、情報リーフレットが付いてくる。
【０００３】
ほとんどの処方薬は、薬剤師によって瓶またはブリスター包装で分配される。このようにして分配された、いくつかの処方薬は、複雑な使用指示を有しており、患者にとって容易には覚えにくいかも知れない。たとえば、ある処方薬は朝、昼、または晩に、あるものは食品と一緒または別に、あるものは特定のタイプの食品と一緒または別に、そして特定の量で、飲むようになっている。これらの状況において、患者は、薬品を服用するときの指示について、瓶を読むかまたは情報リーフレットを参照し直す必要があるかも知れない。患者はまた、いかなるタイミング指示の準拠も保証するために、薬品を服用したときの記録を取る必要もあるかも知れない。
【発明の概要】
【発明が解決しようとする課題】
【０００４】
本発明は、薬品へのアクセスおよび投与の際に視認可能な使用指示を提供する、薬品を保存および分配するためのシステムおよび容器に関する。具体的には、本発明は容器に関し、これは薬品を保存し、子供が開封しにくく、これにより、容器内に封入された薬品に子供がアクセスするのを防止する。本発明はまた、小児用安全容器を組み立てる方法にも関する。本発明はまた、対象ユーザにより、小児用安全容器の中に保存された薬品にアクセスおよび分配する方法にも関する。
【０００５】
薬剤包装は、包装が実質的に子供によって開封されないことを保証する目的で、政府によって規制されている。各薬剤パッケージは、パッケージ内の内容物ならびに薬剤のタイプおよび効力に基づく特定の基準を満たすように、構築される。
【課題を解決するための手段】
【０００６】
一実施形態において、本発明は小児用安全薬剤容器アセンブリを提供する。アセンブリは、複数のコンパートメントを含むブリスター包装であって、複数のコンパートメントの各々は少なくとも１つの薬剤を支持するように構成されている、ブリスター包装と；パック内の各開口がブリスター包装の複数のコンパートメントのうちの１つに対応する、複数の開口を有する陥凹を含むパックと；第二壁の反対側の第一壁を含む箱であって、複数の開口が第一壁を通じて延在し、第一壁内の開口の各々は第二壁内の対応する穿孔と整合しておりおよび第一壁内の開口の各々はパックの開口のうち１つおよびブリスター包装の対応するコンパートメントと整合している、箱と、を備える。
【０００７】
別の実施形態において、本発明は、小児用安全容器を組み立てる方法を提供する。方法は、陥凹および複数の開口を含むパックに複数のコンパートメントを含むブリスター包装を整合させるステップであって、複数の開口の各々は複数のコンパートメントのうちの１つを補完するように構成されている、ステップと；ブリスター包装をパックに取り付けるステップと；ブリスター包装およびパックを箱の中に挿入するステップであって、箱は第二壁の反対側の第一壁を含み、複数の開口は第一壁を通じて延在して第二壁内の複数の穿孔と整合しており、整合した複数の開口および穿孔の各々は複数のコンパートメントのうちの１つを補完する、ステップと；ブリスター包装およびパックを封入するために箱を閉鎖するステップと、を備える。
【０００８】
別の実施形態において、本発明は、小児用安全容器の中に保存された薬剤をユーザに対して分配する方法を提供する。方法は、箱、パック、およびブリスター包装を含む容器を提供するステップであって、パックは箱に固定されており、ブリスター包装はパックに固定されている、ステップと；ブリスター包装の複数のコンパートメントのうちの少なくとも１つのコンパートメントに力を加えるステップであって、複数のコンパートメントの各々は箱の第一壁内の複数の開口の補完的なものと整合する、ステップと；少なくとも１つのコンパートメントの中に収容された薬剤を移動させるために少なくとも１つのコンパートメントのシールを破壊するステップと；パックの陥凹内の開口を通じて薬剤を放出するステップであって、開口は少なくとも１つのコンパートメントを補完する、ステップと；箱の第二壁内の穿孔を通じて薬剤を放出するステップであって、穿孔は少なくとも１つのコンパートメントを補完する、ステップと、を備える。
【０００９】
本発明のその他の態様は、詳細な説明および添付図面の考察によって明らかとなるだろう。
【図面の簡単な説明】
【００１０】
【図１】本発明の一実施形態による、薬品容器アセンブリの正面斜視図である。
【図２】ブリスター包装、パック、および箱を含む、図１に示される薬品容器の構成要素を示す図である。
【図３】本発明の別の実施形態による、第一構成にある薬品容器アセンブリの正面斜視図である。
【図４】第二構成にある、図３に示される容器の正面斜視図である。
【図５】例示的なブリスター包装の正面斜視図である。
【図６】図５の例示的なブリスター包装の設計図明細事項を示す図である。
【図７】別の構成を有するブリスター包装の正面斜視図である。
【図８】別の構成を有するブリスター包装の正面斜視図である。
【図９】図７および図８に示されるブリスター包装の底面斜視図である。
【図１０】図７および図８のブリスター包装の設計図明細事項を示す図である。
【図１１】別の構成を有するブリスター包装の正面斜視図である。
【図１２】例示的なパックの斜視図である。
【図１３】図１２に示されるパックの上面図である。
【図１４】図１２から図１３に示されるパックの底面図である。
【図１５】例示的なパックの上面斜視図である。
【図１６】図１５のパックの底面斜視図である。
【図１７】図１５に示されるパックの底面図である。
【図１８】図１５から図１６に示されるパックの上面図である。
【図１９】例示的なパックの斜視図である。
【図２０】図１９のパックの底面斜視図である。
【図２１】図１９のパックの底面図である。
【図２２】図１９に示されるパックの上面図である。
【図２３】図１９に示されるパックの背面図である。
【図２４】図１９に示されるパックの正面図である。
【図２５】図１９に示されるパックの左側面図である。
【図２６】図１９に示されるパックの右側面図である。
【図２７ａ】例示的なパックの正面斜視図である。
【図２７ｂ】例示的なパックの正面斜視図である。
【図２７ｃ】例示的なパックの正面斜視図である。
【図２８ａ】例示的なパックの正面斜視図である。
【図２８ｂ】例示的なパックの正面斜視図である。
【図２９ａ】例示的なパックの正面斜視図である。
【図２９ｂ】例示的なパックの正面斜視図である。
【図３０ａ】例示的なパックの正面斜視図である。
【図３０ｂ】例示的なパックの正面斜視図である。
【図３１ａ】例示的なパックの正面斜視図である。
【図３１ｂ】例示的なパックの正面斜視図である。
【図３２】例示的な箱ブランクを示す図である
【図３３】図５から図６のブリスター包装、図１９から図２６のパック、および箱を含む、図３から図４に示される薬品容器アセンブリの組み立て図である。
【図３４】組み立てられたときの、図３３に示されるブリスター包装およびパックの斜視図である。
【図３５】図３３の薬品容器アセンブリを組み立てる方法を示す図である。
【図３６ａ】図３３の薬品容器アセンブリの使用方法を示す図である。
【図３６ｂ】図３３の薬品容器アセンブリの使用方法を示す図である。
【図３７ａ】図３６の薬品容器アセンブリの使用方法を示す例示的な取扱説明書を示す図である。
【図３７ｂ】図３６の薬品容器アセンブリの使用方法を示す例示的な取扱説明書を示す図である。
【図３８】薬品容器アセンブリのディスペンサの正面斜視図である。
【図３９】別の構成を有するディスペンサの正面斜視図である。
【図４０】図３９に示されるディスペンサの正面図である。
【図４１ａ】図３から図４に示される薬品容器アセンブリのディスペンサの正面斜視図である。
【図４１ｂ】図３から図４に示される薬品容器アセンブリのディスペンサの正面斜視図である。
【図４１ｃ】図３から図４に示される薬品容器アセンブリのディスペンサの正面斜視図である。
【図４２】ディスペンサの例示的な箱ブランクを示す図である。
【発明を実施するための形態】
【００１１】
本発明のいずれかの実施形態が詳細に説明される前に、本発明は、その用途において、以下の説明に明記され、または以下の図面に示される構成要素の構造および配置の詳細に限定されるものではないことは、理解されるべきである。本発明は、その他の実施形態も可能であり、様々なやり方で実践または実行され得る。
【００１２】
図１および図２は、本発明の第一の実施形態による、薬剤用の容器アセンブリまたはパッケージ１０を示す。薬剤は、処方箋によって獲得され、または店頭で入手可能である。容器アセンブリ１０は、ブリスター包装２０、パック１００、および箱１５０を含む。
【００１３】
図５から図１１に示されるように、ブリスター包装またはカード２０は、ブリスター包装２０の周囲を画定する、第一面２４、第二面２６、および外壁２８を含む。ブリスター包装２０は、その第二面２６に接着された箔および／または紙の層３６を有する半硬質プラスチックフィルムまたは部材３２から構築される。ブリスター包装２０は、部材３２の中に形成され、錠剤型の薬剤４２をその中に受容するサイズおよび形状になっている、複数のコンパートメントまたはポケット４０を含む。コンパートメント４０は、半硬質プラスチックフィルムによって画定され、ブリスター包装２０の第一面２４から突起している。このようにして、コンパートメント４０はブリスター包装２０の高さを画定する。コンパートメント４０はまた、少なくとも１つの薬剤４２をその中に挿入するために、フィルム層３６を接着する前に、ブリスター包装２０の第二面２６上に開口４８も画定する。図５および図６に示されるように、封止されるときにコンパートメント４０のうちの１つ以上は空であってもよく、こうしてブリスター包装２０内に１つ以上の空気ポケットまたは支持ノブ５０を画定する。箔層３６は、ブリスター包装２０の第二面２６に接着されるときに開口４８を覆い、これにより投与量の薬剤４２を保存するためのシール５４または空気ポケット４８を適切なコンパートメント４０内に作成する。複数のコンパートメント４０の各々の中に保存された薬剤４２は、ブリスター包装２０の第一面２４上の所望のコンパートメントに圧力を加え、これによってコンパートメント４０のシール５４を破裂させることによって、アクセス可能である。薬剤は、第二面２６の開口４８を通じて放出される。
【００１４】
シール５４は、コンパートメント４０の中に薬剤４２を封入するために、真空によって作成される。図示される実施形態において、シール５４およびコンパートメント４０は、各投与分の薬剤４０が周囲の空気ポケットによって包囲および保護されるように、薬剤４２を封入する。空気ポケットは、投与量の薬剤４０の完全性を保護する（たとえば、薬剤が潰れたり尚早に期限が切れたりしないように保護する）。箔層３６は、薬剤をブリスター包装２０から解放するために対象ユーザが箔層３６を通じて投与量の薬剤４０を押す点を提供するための、１つ以上の穿孔または刻み目を含む。代替または追加実施形態は、いずれの適切な材料から構築されたブリスター包装を含んでもよい（たとえば、ボール紙、発泡体など）。同様に、コンパートメントは、適切な代替の方法または材料を用いて封止されてもよい。
【００１５】
図５から図１１に示されるように、ブリスター包装２０は、たとえばブリスター包装２０、２０ａ、２０ｂなど、様々な適切な構成を有してもよい。ブリスター包装２０、２０ａ、２０ｂのコンパートメント４０は、異なるタイプ、サイズ、および投与量の薬剤４０に適合するために、様々なサイズおよび形状を有する。たとえば、コンパートメント４０は、円形、楕円形、立方体、長方形などであってもよい。同様に、ブリスター包装は、いずれの適切な組み合わせの形状およびサイズを含むコンパートメントを含んでもよい。言い換えると、錠剤またはカプセルの形態の投与量の薬剤は多くのサイズおよび形状を有することができるため、ブリスター包装は、特定のサイズおよび形状の１つ以上のタイプの薬剤に適合するように製造され得る。さらに、多くの薬剤は、１日に複数回、特定の時間に、および／または他の薬剤と組み合わせて、服用されるようになっている。したがって、コンパートメントの各々は、異なるタイプの薬剤を受容するサイズおよび形状になっており、投与の順番または一揃いを特定するのに適したいずれの配向になっていてもよい。ブリスター包装の第二面２６、および特に箔層は、穿孔５８の多くの異なる構成を有してもよい。たとえば、穿孔５８ｂは各コンパートメント４０に位置してもよい。あるいは、穿孔５８ａは、特定のコンパートメント４０のみが一度に破裂するように構成されていてもよく、これは後にさらに詳細に論じられる。穿孔５８はまた、ユーザが正しい時間に正しい薬剤を投与するのも支援するだろう。さらに、空気ポケットまたは支持ノブ５０は、代替的な位置および構成を有してもよい。たとえば、支持ノブは長尺の空気ポケットまたはリブ５０であってもよい。リブは、たとえばブリスター包装の１つ以上の面に沿って延在してもよく、あるいは薬剤を収容しているコンパートメントのうちの１つ以上に対して別のやり方で配向されてもよい。加えて、支持ノブおよび支持リブは、いくつかの実施形態において一緒に使用されてもよい。
【００１６】
図５から図１１はまた、ブリスター包装２０、２０ａ、２０ｂが領域またはセクション６０に分割されてもよいことを、示している。たとえば、図５および図６において、ブリスター包装２０は第一領域６０、第二領域６０’、および第三領域６０’’に分割される。第一、第二、および第三領域６０、６０’、６０’’の各々は、ブリスター包装２０のコンパートメント４０のうちの少なくとも１つを含む。図５および図６に示される実施形態において、領域６０、６０’、６０’’は、使用されるときにミシン目またはその他の脆弱化された線６４で互いに分離されてもよい。言い換えると、第一領域６０は、第二および第三領域６０’、６０’’から切り離されてもよい。このようにして、ユーザは、特定の用量、組み合わせ、または時間に対応する特定領域内の薬剤を取り出すことができる。このようなブリスター包装２０の利点は、他の隣接するコンパートメントのシール５４を誤って破裂させることなく、特定の薬剤が対応するコンパートメント４０から取り出し可能であることである。ブリスター包装の領域はまた、ブリスター包装の第二面の穿孔によって描画されてもよい。たとえば、図７から図１０は、第一および第二穿孔５８ａを含む。穿孔５８ａは、第二領域６０ａ’の薬剤を保存しているシール５４ａの完全性を維持しながら、第一領域６０ａの薬剤への容易なアクセスを提供するように構成されている。物理的に描画されていることに加えて、ブリスター包装２０の領域は各領域内に収容された薬剤のタイプまたは薬剤の群の違いを表示および明確化するために、色分けされるかまたは何らかのタイプの印が設けられてもよい。
【００１７】
図１および図２に関連して上述されたように、容器アセンブリ１０はパックまたはテンプレート１００を含む。パック１００は、ブリスター包装２０のコンパートメント４０を補完するように構成されている。パック１００は、ブリスター包装２０と箱１５０との間に緩衝材を提供する、保護装置またはスペーサ要素である。より具体的には、パック１００は、完成した箱に硬度を提供し、ブリスター包装２０に噛み付き保護を提供する一方で、子供が薬剤の周りの箱のミシン目を曲げたり破壊したりするのを阻止する。
【００１８】
図１２から図２６は、３つの異なるパック１００を示す。図１２から図１４は、パック１００の第一の実施形態を示す。パック１００は、第二面１０６から離間していて反対側にある第一面１０２を有する、本体部分１０４を含む。本体１０４はまた、第一および第二面の間に延在する壁１０８も含む。壁１０８はパック１００の高さを画定する。パック１００はまた、本体１０４内の陥凹１１２も含む。パック１００は、陥凹１１２の中に形成された複数の開口１１６を含む。パック１００内の複数の開口１１６の各々は、先に説明された、ブリスター包装２０のコンパートメント４０のうちの１つを補完する。このようにして、パック１００の開口１１６は、特定の配向を有するブリスター包装２０上のコンパートメント４０と整合するように構成されている。たとえば、図１２から図１４のパック１００は、具体的には図５および図６に示されるブリスター包装２０を収容するように構成されている。ブリスター包装２０は、コンパートメント４０の各々がパック１００内のそれぞれの補完的な開口１１６を通じて挿入されるように、パック１００の第二面１０６と結合させられる。いくつかの構造において、ブリスター包装２０は、パック１００の第二面１０６に付け（たとえば、粘着、封止、テープ留めなど）られる（これは図３５にも示される）。
【００１９】
引き続き図１２から図１４を参照すると、本体１０４の第二面１０６は、壁１０８と陥凹１１２との間に延在する複数の補強空洞１２０を含む。別の実施形態では、第二面１０６は堅固であってもよい。加えて、図１３および図１４は、各々が実質的に同じ厚さを有する壁１０８を含む。しかしながら、代替または追加実施形態は、異なる厚さを有する壁を含んでもよい。パック１００は紙パルプまたはその他の紙ベース基板を備えることができるが、しかしながらプラスチック、またはその他適切な材料、または材料の組み合わせなど、その他の材料もまたパック１００に利用されてもよい。
【００２０】
図１５から図１８は、パックの第二の実施形態（パック１００ａと称される）を示す。パック１００ａは、第二面１０６ａから離間していて反対側にある第一面１０２ａを有する、本体部分１０４ａを含む。本体１０４ａはまた、第一および第二面の間に延在する壁１０８ａも含む。壁１０８ａ、１０８ａ’はパック１００ａの高さを画定する。パック１００ａはまた、本体１０４ａ内の陥凹１１２ａも含む。パック１００ａは、陥凹１１２ａの中に形成された複数の開口１１６ａを含む。パック１００ａ内の複数の開口１１６ａの各々は、先に説明された、ブリスター包装２０のコンパートメント４０のうちの１つを補完する。このようにして、パック１００ａの開口１１６ａは、特定の配向を有するブリスター包装２０上のコンパートメント４０と整合するように構成されている。たとえば、図１５から図１８のパック１００ａは、具体的には図５および図６に示されるブリスター包装２０に適合するように構成されている。ブリスター包装２０は、コンパートメント４０の各々がパック１００ａ内のそれぞれの補完的な開口１１６ａを通じて挿入されるように、パック１００ａの第二面１０６ａと結合させられる。いくつかの構造において、ブリスター包装２０は、パック１００ａの第二面１０６ａに付け（たとえば、粘着、封止、テープ留めなど）られる（これは図３５にも示される）。
【００２１】
引き続き図１５から図１８を参照すると、壁１０８ａおよび１０８ａ’は異なる厚さを有する。たとえば、壁１０８ａの厚さは壁１０８ａ’の厚さとは異なる。図示されるように、壁１０８ａの厚さは壁１０８ａ’の厚さよりも薄い。壁１０８ａ’はまた、複数のアパーチャ１２４ａも含む。アパーチャ１２４ａは円筒形であり、１１個の円筒形アパーチャが示されているものの、他の構造においては、より少ないかまたは多い円筒形アパーチャがあってもよい。壁１０８ａ、１０８ａ’は、底壁の周囲の周りに隆起したリム１２８ａを形成する（図１６から図１７参照）。壁１０８ａは、パック１００ａの一端において内向きに傾斜している。壁１０８ａの傾斜部分は、箱１５０内へのパック１００ａのより容易な挿入を可能にする。パック１００ａはプラスチックを備えることができ、射出成形プロセスを用いて製造されることが可能であるが、しかしながらその他の適切な材料または材料の組み合わせもまた、パック１００ａに利用されてよい。
【００２２】
図１９から図２６は、パックの第三の実施形態（パック１００ｂと称される）を示す。パック１００ｂは、第二面１０６ｂから離間していて反対側にある第一面１０２ｂを有する、本体部分１０４ｂを含む。本体１０４ｂはまた、第一および第二面の間に延在する壁１０８ｂも含む。壁１０８ｂ、１０８ｂ’は、パック１００ｂの高さを画定する。パック１００ｂはまた、本体１０４ｂ内の陥凹１１２ｂも含む。パック１００ｂは、陥凹１１２ｂの中に形成された複数の開口１１６ｂを含む。パック１００ｂ内の複数の開口１１６ｂの各々は、先に説明された、ブリスター包装２０のコンパートメント４０のうちの１つを補完する。このようにして、パック１００ｂの開口１１６ｂは、特定の配向を有するブリスター包装２０上のコンパートメント４０と整合するように構成されている。たとえば、図１９から図２６のパック１００ｂは、具体的には図５および図６に示されるブリスター包装２０を収容するように構成されている。ブリスター包装２０は、コンパートメント４０の各々がパック１００ｂ内のそれぞれの補完的な開口１１６ｂを通じて挿入されるように、パック１００ｂの第二面１０６ｂと結合させられる。いくつかの構造において、ブリスター包装２０は、パック１００ｂの第二面１０６ａに付け（たとえば、粘着、封止、テープ留めなど）られる（これは図３５にも示される）。
【００２３】
引き続き図１９から図２６を参照すると、壁１０８ｂおよび１０８ｂ’は異なる厚さを有する。たとえば、壁１０８ｂの厚さは壁１０８ｂ’の厚さとは異なる。図示されるように、壁１０８ｂの厚さは壁１０８ｂ’の厚さよりも薄い。壁１０８ｂ’はまた、複数のアパーチャ１２４ｂも含む。アパーチャ１２４ｂは長方形であり、３つの長方形アパーチャが示されているものの、他の構造においては、より少ないかまたは多い長方形アパーチャがあってもよい。壁１０８ｂ、１０８ｂ’は、底壁の周囲の周りに隆起したリム１２８ｂを形成する（図２０から図２１参照）。壁１０８ｂは、パック１００ｂの一端において内向きに傾斜している。壁１０８ｂの傾斜部分は、箱１５０内へのパック１００ｂのより容易な挿入を可能にする。
【００２４】
壁１０８ｂ、１０８ｂ’は、壁の外端に、リブ付き表面１３０ｂを含む。リブ付き表面１３０ｂは、パック１００ｂを箱１５０に固定するために糊またはその他の接合剤を塗布するための、より大きい表面積を提供する。パック１００ｂはプラスチックを備えることができ、射出成形プロセスを用いて製造されることが可能であるが、しかしながらその他の適切な材料または材料の組み合わせもまた、パック１００ｂに利用されてよい。
【００２５】
図２７は、パックの第四の実施形態（パック１００ｃと称される）を示す。パック１００ｃは、図示されるように互いに結合するように構成された、第一部分５０４および第二部分５０８を含む。たとえば、第一部分５０４は、底壁５１２と、底壁５１２の周囲の周りに延在する側壁５１６とを有し、これによって陥凹５２０を画定する。第二部分５０８は、画定された周囲を有する上壁５２４と、周囲から差し込まれる位置で上壁５２４から延在する側壁５２８と、を含む。上壁５２４は、側壁５２８の上にまたはこれを超えて延在し、側壁５１６の上に位置する、張り出しを含む。この構成は、第二部分５０８の側壁５２８が摺動して第一部分５０４の陥凹５２０の中に嵌め込まれることを、可能にする。
【００２６】
第一部分は、底壁５１２の中に位置する複数の開口５３２を含む。第二部分は、上壁５２４の中に位置して開口５３２と実質的に整合する、複数の開口５３２’を含む。複数の開口５３２’の各々の周りの区域５３６は、区域が開口５３２’から遷移して外向きに移動するにつれて、上壁５２４の一部からより少ない材料が徐々に取り除かれている、波形になっている。パック１００ｃを箱１５０の中に挿入する前に、ブリスター包装２０ａは第一部分５０４と第二部分５０８との間に位置し、コンパートメントは開口５３２、５３２’と整合している。
【００２７】
図２８は、パックの第五の実施形態（パック１００ｄと称される）を示す。パック１００ｄは、上表面５４４および底表面５４８を有し、これによってその間の厚さを画定する、基部５４０を含む。基部５４０は、上表面５４４と底表面５４８との間に延在して周囲を画定する側壁５５２を含む。側壁５５２は、基部５４０の末端において傾斜していてもよい。基部５４０は複数の開口５５６を含む。上表面５４４は、区域が開口５５６から遷移して外向きに移動するにつれて、上表面５４４の一部からより少ない材料が徐々に取り除かれている、波形になっている開口５５６のすべての周りの区域５６０を含む。
【００２８】
パック１００ｄは、第一材料層５６４および第二材料層５６６によって形成された、複数の個別コンパートメント５６２を含む。個別コンパートメント５６２は薬剤を支持し、第一および第二材料層は基部５４０に固定される。薬剤およびコンパートメント５６２が基部５４０に固定された後、パック１００ｄは箱１５０内に挿入される。
【００２９】
図２９は、パックの第六の実施形態（パック１００ｅと称される）を示す。パック１００ｅは、底壁５７０と、底壁５７０の周りに延在する側壁５７４と、を含む。側壁５７４は異なる厚さを含むことができる。図示されるように、２つの端壁（短い方の壁）は、前壁および後壁（長い方の壁）よりも大きい厚さを有する。図示されるように、側壁はパック１００ｅの末端において傾斜している。底壁５７０は、第一厚さを有する第一部分５７８および第二厚さを有する第二部分５８０を含む。図示されるように、第二部分５８０は第一部分５７８よりも大きい厚さを有するが、しかしながら他の構造において、第一部分５７８はより大きい厚さを有することができる。底壁５７０は複数の開口５８４を含む。パック１００ｅを箱１５０内に挿入する前に、ブリスター包装２０は、コンパートメントが開口５８４と整合した状態でパック１００ｅと結合させられる。
【００３０】
図３０は、パックの第七の実施形態（パック１００ｆと称される）を示す。パック１００ｆは、先に記載されたパック１００と類似である。パック１００ｆは、パック１００ｆの周囲の周りの様々な箇所に形成された、複数の陥凹５８８を含む。
【００３１】
図３１は、パックの第八の実施形態（パック１００ｇと称される）を示す。パック１００ｇは、上表面５９４および底表面５９８を有し、これによってその間の厚さを画定する、基部５９０を含む。基部５９０は、上表面５９４と底表面５９８との間に延在して周囲を画定する、側壁６０２を含む。側壁６０２は、基部５９０の末端において傾斜していてもよい。基部５９０は複数の開口６０４を含む。上表面５９４は、区域が開口６０４から遷移して外向きに移動するにつれて、上表面５９４の一部からより少ない材料が取り除かれている、波形になっている開口６０４のうちのいくつかの周りの区域６０８を含む。底表面５９８は、開口６０４のすべての周りの陥凹区域６１０を含む。パック１００ｇを箱１５０内に挿入する前に、ブリスター包装２０は、コンパートメントが開口６０４と整合した状態でパック１００ｇと結合させられる。
【００３２】
図１２から図１８および図２７から図３１のパック１００、１００ａ〜１００ｇはまた、先に記載されたようなリブ付き表面も含んでよい。加えて、リブ付き表面は、パック１００、１００ａ〜１００ｇの付加的または代替的な表面および面上に含まれてもよい。さらに、パック１００ｂにしか示されていないものの、薬品容器１０を組み立てるときにパック１００ｂが装填される向きを表す陥凹またはその他の印１３１ｂ（たとえば、向きを表す矢印）があってもよい。
【００３３】
本明細書に図示および記載されるパック１００、１００ａ〜１００ｇは例示に過ぎず、付加的な構成および特徴を有するパックは本発明の範囲および精神に含まれる。したがって、複数の開口の構成がブリスター包装のいずれの固有の構成に適合してもよいことは、理解されるべきである。加えて、本体部分、壁、および陥凹は、いずれの適切な形状またはサイズまたは寸法を有してもよい。さらに、図示されるパックは、紙パルプおよび竹繊維を含む複合材料から形成されてもよい。パルプ／繊維の組み合わせは、環境的に安全であってリサイクル可能なので、有利である。しかしながら、パックを形成するためにその他の材料が使用されてもよい。
【００３４】
図１および図２に関連して先に述べられたように、薬品容器アセンブリ１０は箱１５０を含む。図３２を参照すると、箱１５０は、繊維板、ボール紙などの基板から構築される。基板は、図３２に示されるような箱ブランクとして加工および切断される。箱ブランクは、箱１５０を形成するように記載された通りに操作されて折り畳まれる。
【００３５】
さらに図１および図３から図４を参照すると、箱１５０は、まとまって空洞１５４をその中に画定する複数の壁を含む。具体的には、箱１５０は、第二壁１６２から離間していて反対側にある第一壁１５８を含む。第一および第二壁１５８、１６２は、中間壁１６６によって分離されている。第一壁１５８は、空洞１５４に対向する第一面と、箱１５０の外側に対向する第二面とを含む。第一壁１５８は、第一および第二面の間に延在する複数の開口１７０、および第二面から延在する突起１７４（図３２）を含む。第二壁１６２は、空洞１５４に対向する第一面と、箱１５０の外側に対向する第二面とを含む。第二壁１５８は、複数の穿孔１７８を含む。
【００３６】
図３３から図３７は、薬剤容器アセンブリ１０を組み立てる方法を示す。具体的には、ブリスター包装２０およびパック１００、１００ａ〜１００ｇのうちの１つは箱１５０の中に受容および保存されるように構成されている。空洞１５４は、パック１００、１００ａ〜１００ｇおよびブリスター包装２０をその中に受容および保存する。
【００３７】
以下の説明は、パック１００、１００ａ、１００ｂに特有であるが、しかしながら概念はパック１００ｃ〜１００ｇと類似であり、ここで部品／構成要素が示されるが異なる参照番号を有する場合もある。
【００３８】
ブリスター包装２０は、複数のコンパートメント４０の各々が対応する複数の開口１１６と整合し、これを通じてパック１００の陥凹１１２の中に突起するように、パック１００、１００ａ、１００ｂと結合させられる。パック１００、１００ａ、１００ｂの本体１０４、１０４ａ、１０４ｂにブリスター包装を接着するために、ブリスター包装に糊が塗布されてもよい。パック１００ｂでは、パック１００ｂを箱１５０の対応する側壁に固定するために、壁１０８ｂ’の末端のリブ付き表面１３０ｂに糊またはその他の接合剤が塗布される。
【００３９】
箱１５０の空洞１５４内に固定されると、パック１００、１００ａ、１００ｂ内の複数のコンパートメント４０および複数の開口１１６、１１６ａ、１１６ｂは、第一壁１５８の複数の開口１７０および第二壁１６２の複数の穿孔１７８と整合させられる。このようにすると、空洞１５４の中の薬剤４２は、第一壁１５８の複数の開口１７０を通じて視認可能である。空洞１５４の中では、コンパートメント４０が第一壁１５８に対して陥凹するように、コンパートメント４０と第一壁１５８との間に間隙（図示せず）が作成される。さらに、ブリスター包装２０の支持ノブまたはリブ５０は、第一および第二壁の対応する開口または穿孔と整合させられていない。このようにして、支持ノブおよびリブ５０は、薬剤４２がコンパートメント４０から放出される際に間隙または距離を維持し、一旦薬品が詰められたコンパートメント４０はもはやその形状を維持することができない。第一壁の複数の開口１７０を通じてコンパートメント４０のうちの１つ以上に印加された力は、薬剤４２にブリスター包装２０のシール５４を破裂させ、第二壁１６２から穿孔１７８を切断する。このようにして、コンパートメント４０のうちの１つ以上の中に収容された薬剤はパック１００のそれぞれの開口１１６を通じて放出され、これによって箱の第二壁１６２に穴を開ける（図３６ａ〜図３６ｂ）。使用指示３００および薬剤情報３０４は、包装に含まれる説明カード上に含まれてもよい（図３７ａから図３７ｂ）。
【００４０】
第三壁または被せ１８２は、第一壁１５８および／または中間壁１６６のうちの１つに、蝶番式に結合される。第三壁１８２は、薬剤情報を含む第一面と、第二面とを含む。第三壁１８２の第一面は、第一壁１５８と結合または剥離可能に接着されるように構成された接着剤を含む、開口または陥凹部分１８６を含む。第三壁１８２は、固定タブまたはシール１９０を含む（図４、図３８）。第一の閉鎖位置において（図４、図３８）、固定タブ１９０は、空洞１５４、したがってブリスター包装２０の中に収容された薬剤４２もアクセス不可能となるように、中間壁１６６のうちの１つに固定されている。第二の開放位置に置いて、固定タブ１９０は中間壁１６６から解放され、これによって第三壁１８２を第一壁１５８に対して旋回できるようにする。一旦固定タブ１９０が解放されてしまうと、空洞１５４、したがってブリスター包装２０の中に収容された薬剤も、アクセス可能となる。固定タブ１９０が解放されて薬剤４２が分配された後、接着剤を含む第三壁１８２の開口１８６は、駆動１５４およびその中の薬剤４２へのアクセスを一時的に防止するために、第一面１５８に剥離可能に接着されてもよい。
【００４１】
箱１５０はまた、その中に収容された薬剤の投与に関する指示を提供する印刷部分も含んでよい。たとえば、本明細書に図示および記載される実施形態において、箱１５０は、ブリスター包装２０内の領域に対応する領域またはセクション１９４、１９４’を含んでもよい。このようにすると、箱１５０の第一領域１９４は第一領域（すなわち、図５および図６の第一および第二領域６０、６０’）に対応してもよく、その一方で箱１５０の第二領域１９４’はブリスター包装２０の第二領域（図５および図６の第三領域６０’’）に対応してもよい。箱１５０の第一領域１９４には、第一領域内の薬剤に関する対応する指示が印刷されている。たとえば、第一領域１９４は、いつ薬剤を服用すべきか、およびどのような状況下で薬剤が投与されるべきかの指示を含む。同様に、箱１５０の第二領域１９４’には、第二領域内の薬剤に関する対応する指示が印刷されている。たとえば、第二領域１９４’は、いつ薬剤を服用すべきか、およびどのような状況下で薬剤が投与されるべきかの指示を含む。指示はまた、容器に収容された薬剤がどのように投与されるべきかをより明確に説明するための色分けも含んでよい。たとえば、箱１５０の第一領域１９４は第一の色（すなわち、朝または昼間に関連付けられた色）を含み、その一方で箱１５０の第二領域１９４’は第二の色（すなわち、夕方または夜間に関連付けられた色）を含む。
【００４２】
薬品容器アセンブリ１０は、その中に収容された薬剤に子供がアクセスするのを防ぐいくつかの特徴を含む。まず、少なくとも１つの第一壁１５８は好ましくはフィルム被せまたはラミネートを含み、これは子供にとって開口１７０においてまたはその付近で容器１０を裂いたりちぎったりしにくくする。加えて、壁は、壁同士を効果的に結合する糊またはその他の適切な接着剤を含み、こうして子供が容器１０の内容物に容易にアクセスするのを防ぐ。さらに、固定タブ１９０は好ましくは、開封明示標識タブである。つまり、固定タブ１９０を中間壁から解放することで、第一および第二標識タブ２００の色を（すなわち、塗料または材料の層などを除去することによって）変化１６６させる。周壁１６６の色とは異なる標識タブ２００の色は、固定タブ１９０が初めに取り外されてしまったことをユーザに示す。固定タブ１９０および標識タブ２００は、他の誰かが容器１０の中に保存された薬剤にすでにアクセスしようとしたことをユーザに警告するので、有利である。この特徴は、子供が薬剤にアクセスしようとした可能性があることを親に警告するために、特に有利である。容器１０の子供が開封しにくい別の特徴は、一旦第三壁１８２が固定タブ１９０および空洞１５４によって解放されて薬剤がアクセス可能になると、第一壁１５８と複数のコンパートメント４０との間の間隙が、ブリスター包装２０内のシール５４を破壊して穿孔１７８を切断するために必要とされる距離および力を増加させることである。薬剤を分配するために必要な力はパック１００によってさらに増加し、これは組み立て済み容器１０にさらなる剛性および硬度をもたらす。子供がその中に収容された薬剤にアクセスするのを防ぐため、および子供が開封しにくい包装の規制基準を満たすために、薬剤容器１０はこのようにして構築される。
【００４３】
薬品容器１０は、以下のステップのうちの１つ以上を用いて組み立てられる。まず、箱１５０が用意されて折り畳まれる。図３２に示されるように、組み立てられる前に、箱ブランクは第一面および第二面を含む。箱ブランクは、直線的に配置された、第一セクション２５０、第二セクション２５４、および第三セクション２５８をさらに含む。第一セクション２５０は第一、第二、および第三突起部２６０ａ〜２６０ｃを含み、第二セクション２５４は第四および第五突起部２６２ａ、２６２ｂを含み、第三セクション２５８は固定タブ１９０およびそこに結合されるラベル部分２７０を含む。第一中間セクション２８０は第一および第二セクション２５０、２５４の間に設けられ、第二中間セクション２８４は第二および第三セクション２５４、２５８の間に設けられる。第一中間セクション２８０は標識タブ２００を含む。第一セクション２５０は、実線で示される、第一および第二面の間に延在する複数の開口１７０を含み、その一方で第二セクション２５４は、破線で示される複数の穿孔１７８を含む。
【００４４】
箱ブランクは、第一セクション２５０と第一中間セクション２８０との間の接続点に沿って第一セクション２５０を曲げることによって、組み立てられる。同様に、第二セクション２５４は、第一中間セクション２８０と第二セクション２５４との間の接続点に沿って曲げられる。こうすることで、第一壁１５８を形成する第一セクション２５０は、中間壁１６６のうちの１つである第一中間セクション２８０によって第二壁１６２を形成する第二セクション２５４から離間させられる。すると第一セクション２５０から延在する第三突起部２６０ｃは、第二中間セクション２８４に固定（すなわち、接着剤などによって）される。したがって第一および第二中間セクション２８０、２８４は、箱ブランクの第一および第二壁１５８、１６２の間の中間壁１６６のうちの２つである。中間壁１６６によって結合されると、第一および第二壁１５８、１６２は、第一壁１５８の複数の開口１７０が第二壁１６２の複数の穿孔１７８と整合するように、互いに平行となる。複数の開口１７０はまた、複数の穿孔１７８を補完する。第一および第二壁１５８、１６２はまた、４つの中間壁１６６のうちの２つによって結合されたときに、空洞１５４の一部を画定する。
【００４５】
空洞１５４内に挿入される前に、ブリスター包装２０は、ブリスター包装２０の複数のコンパートメントの各々がパック１００の複数の開口と整合するように、パックに付けられる。先に論じられたように、複数の開口１１６の各々は、複数のコンパートメントのうちの１つを補完するように構成されている。その後一緒に、ブリスター包装２０およびパック１００は、第一および第二壁１５８、１６２の間で箱１５０内に挿入される。箱１５０の第一壁１５８を通じて延在する複数の開口１７０は、第二壁１６２の複数の穿孔１７８と整合させられる。パック１００の複数の開口１１６の各々は、第一壁１５８の複数の開口１７０および第二壁１６２の複数の穿孔１７８と整合する。さらに、パック１００の開口１１６のように、整合させられた第一壁１５８の複数の開口１７０および第二壁１６２の複数の穿孔１７６の各々は、複数のコンパートメント４０のうちの１つを補完してこれと整合させられる。このようにして、空洞１５４の中の薬剤４２は、第一壁１５８の複数の開口１７０を通じて視認可能である。
【００４６】
薬品容器アセンブリ１０は、複数のコンパートメント４０の各々の中の薬剤が第一壁１５８の複数の開口１７０を通じて視認可能となるように、箱１５０の空洞１５４の中にブリスター包装２０およびパック１００を固定することによって組み立てられる。相応に、第一および第二中間セクション２８０、２８４の各々から延在する補助タブ３０４ならびに第一および第二セクション２５０、２５４（たとえば、第一および第二壁１５８、１６２）の各々から延在する第一および第二突起部２６０ａ、２６２ａ、２６０ｂ、２６０ｂが、折り畳まれる。このようにして、第一突起部２６０、２６２ａは第二突起部２６０ｂ、２６２ｂと重複してこれに固定され、これは補助突起部３０４と重複してこれに固定される。箱ブランクの壁は、糊またはその他の適切な接着剤によって固定される。
【００４７】
指示、服用情報、または薬剤に関する情報を含んでもよい薬剤情報は、第三壁１８２の第一面に（たとえば、接着剤によって）結合される。すると第三壁１８２は、第三壁１８２が第一壁１５８を覆う。固定タブ１９０はその後、容器１０のアセンブリを完成させるために、中間壁１６６のうちの１つに結合される。図１から図３７に示される実施形態において、ブリスター包装２０、２０ａ、２０ｂ、パック１００、１００ａ〜１００ｇ、および箱１５０は、１日分投与量の薬剤を受容および保存するように構成されている。しかしながら、追加または代替実施形態において、ブリスター包装、パック、および箱は、時間ごと、１週間分、または１ヶ月分の薬剤投与量を受容および保存するように構成されていてもよい。たとえば、図４２の箱１５０’は、組み立てられると、１週間分投与量の薬剤を受容および保存するブリスター包装およびパックを受容および保存するように構成されている。図４２に示されるように、本明細書において論じられる概念は、アパーチャ／穿孔構成が異なる数およびサイズの薬剤／錠剤に収容することを除いて、類似である。
【００４８】
薬品容器アセンブリ１０は、以下のステップのうちの１つ以上にしたがって、その中に保存された適切な量の薬剤を分配するために使用されてもよい。まず、第三壁１８２が第一壁１５８に重なる第一の閉鎖位置（図４、図３８、図４１）から、箱１５０の第一壁１５８および空洞１５４がアクセス可能となる第二の開放位置（図１、図３）まで第三壁１８２が移動するように、固定タブ１９０が解放される。固定タブ１９０が解放されると、標識タブ１６６は、周壁の色とは異なる色になる。開放位置において、薬剤の適切な投与の指示は明確に視認可能である。ブリスター包装２０の複数のコンパートメント４０のそれぞれ１つ以上に収容された１回分以上の投与量の薬剤は、第一壁１５８の対応する補完的開口１７０を通じてコンパートメント４０の表面に相当な力を加えることによって、放出される。この力は、コンパートメント４０の中に保存された薬剤にブリスター包装２０の第二面２６のシール５４を破裂させ、これによってコンパートメント４０の開口４８を通じて薬剤または錠剤を移動させる。力は、対応する補完的穿孔１７８に対する薬剤の力が穿孔１７８を周囲の第二壁１６２から切断させるように、パック１００の対応する補完的開口１１６を通じて薬剤を移動させ続ける。したがって、薬剤が容器１０から放出される際に、第二壁１６２の穴が開けられる。一旦薬剤が分配されてしまうと、第三壁１８２は第二の開放位置から第三の解放位置（図示せず）まで移動させられてもよい。ここで再び、空洞１５４およびひいてはその中に収容された薬剤へのアクセスは、アクセス不可能となる。したがって、箱１５０の第一壁１５８およびパック１００の両方の複数の開口１７０ならびに箱１５０の第二壁１６２の複数の穿孔１７８は、すべて補完的であって、整合するように構成されている。
【００４９】
図３８から図３９、図４１に示されるように、小児用安全薬品容器アセンブリ１０のうちの１つ以上は、重力供給式ディスペンサ４００の中に収容され、そこから分配されてもよい。重力供給式ディスペンサ４００は、第一面、第二面、前面、背面、上面、および底面を有する。ディスペンサ４００は、略長方形の空洞４１２を封入する、６つの壁４０８によって画定された略長方形の本体４０４を、さらに含む。１つの小児用安全薬剤容器１０を受容するサイズおよび形状のアパーチャまたは開口４１６は、ディスペンサ４００の前壁の底部に沿って、容器１０の第一側壁と第二の反対側の側壁との間に、延在する。アパーチャ４１６は、複数の突起４２４を含む間隙またはプラットフォーム４２０によって、底壁から離間している。取り外し不可能な蓋４３０は、ディスペンサ４００の上面に結合されている。一旦１つ以上の容器１０が空洞４１２の中に積み重ねられると、蓋４３０は、容器１０がディスペンサ４００の上部を通じて取り出し不可能となるように、ディスペンサ４００の本体４０４に剥離不可能に封止される。最下部の容器１０ａはアパーチャ４１６の中に設けられており、その他の容器１０ａ’は、空洞４１２の中で最下部の容器１０ａの上に積み重ねられている。最下部の容器１０ａは、第一および第二側壁のアパーチャ４１６によって形成された開口を通じて容器１０ａを把持することによって、ディスペンサ４００から取り出されてもよい。
【００５０】
一旦最下部の容器１０ａが取り出されると、隣接する容器１０ａ’、およびひいては他のすべての容器１０ａ’が、下方に移動する。隣接する容器１０ａ’は最下部の容器１０ａとなり、アパーチャ４１６の中に配置されて、取り出される準備が整う。一旦容器１０ａが取り出されると、容器１０ａが取り出されたことを表示するために、突起４２４のうちの１つが押下されてもよい。たとえば、図示される実施形態におけるディスペンサは７つの容器１０（たとえば、１週間分の薬剤）を収容するサイズおよび形状となっており、１つの突起を１つの曜日として、間隙は７つの突起を含む。１週間の最初の日（たとえば、月曜日）に、第一の最下部の容器１０が取り出されて第一の突起が押下される。したがって、ユーザはディスペンサ内に６つの容器が残っているということに気づかされる。これは、第一および第二側壁または後壁のうちの少なくとも１つの貫通孔によって、あるいは６つのまだ押下されていない突起によって、明らかである。ディスペンサ内にあるべき容器の数と比較してディスペンサ内に収容されている容器の数を対象ユーザが変更することができるので、ディスペンサは小児用安全特性があると見なされる。
【００５１】
このように、本発明は、とりわけ小児用安全薬剤容器を提供する。加えて本発明は、小児用安全薬剤容器を組み立てる方法も提供する。本発明は、小児用安全薬剤容器から薬剤を分配する方法を、さらに提供する。本発明はまた、複数の小児用安全薬剤容器を分配するためのディスペンサも提供する。
【００５２】
本発明の様々な特徴および利点は、以下の請求項に明記される。
【図１】
2017094104.tif 000003
【図２】
2017094104.tif 000004
【図３】
2017094104.tif 000005
【図４】
2017094104.tif 000006
【図５】
2017094104.tif 000007
【図６】
2017094104.tif 000008
【図７】
2017094104.tif 000009
【図８】
2017094104.tif 000010
【図９】
2017094104.tif 000011
【図１０】
2017094104.tif 000012
【図１１】
2017094104.tif 000013
【図１２】
2017094104.tif 000014
【図１３】
2017094104.tif 000015
【図１４】
2017094104.tif 000016
【図１５】
2017094104.tif 000017
【図１６】
2017094104.tif 000018
【図１７】
2017094104.tif 000019
【図１８】
2017094104.tif 000020
【図１９】
2017094104.tif 000021
【図２０】
2017094104.tif 000022
【図２１】
2017094104.tif 000023
【図２２】
2017094104.tif 000024
【図２３】
2017094104.tif 000025
【図２４】
2017094104.tif 000026
【図２５】
2017094104.tif 000027
【図２６】
2017094104.tif 000028
【図２７ａ】
2017094104.tif 000029
【図２７ｂ】
2017094104.tif 000030
【図２７ｃ】
2017094104.tif 000031
【図２８ａ】
2017094104.tif 000032
【図２８ｂ】
2017094104.tif 000033
【図２９ａ】
2017094104.tif 000034
【図２９ｂ】
2017094104.tif 000035
【図３０ａ】
2017094104.tif 000036
【図３０ｂ】
2017094104.tif 000037
【図３１ａ】
2017094104.tif 000038
【図３１ｂ】
2017094104.tif 000039
【図３２】
2017094104.tif 000040
【図３３】
2017094104.tif 000041
【図３４】
2017094104.tif 000042
【図３５】
2017094104.tif 000043
【図３６ａ】
2017094104.tif 000044
【図３６ｂ】
2017094104.tif 000045
【図３７ａ】
2017094104.tif 000046
【図３７ｂ】
2017094104.tif 000047
【図３８】
2017094104.tif 000048
【図３９】
2017094104.tif 000049
【図４０】
2017094104.tif 000050
【図４１ａ】
2017094104.tif 000051
【図４１ｂ】
2017094104.tif 000052
【図４１ｃ】
2017094104.tif 000053
【図４２】
2017094104.tif 000054